(57)【要約】【課題】  検索エンジンによる検索結果ページで上位に表示させることが可能なウェブサイトの検索最適化システムの提供。【解決手段】  検索履歴データベースに対し検索キーワードごとの検索履歴の照会を行う検索履歴照会手段と、検索キーワードごとの検索履歴を受信して記憶する検索履歴記憶手段と、検索キーワードごとの検索履歴を集計する検索履歴集計手段と、検索キーワードを抽出する検索キーワード抽出手段と、抽出された検索キーワードに基づき、制作または編集するウェブサイトのウェブページごとに検索キーワードを分類する検索キーワード分類手段と、ウェブページごとに分類された検索キーワードを配置する検索キーワード配置手段とを備え、検索履歴の集計によりウェブページごとに最適な検索キーワードを設定し検索のための最適化をする。【選択図】  図１
2006146446.tif 000002
【特許請求の範囲】
【請求項１】
入力手段、制御手段、表示手段、出力手段、記憶手段等を備えるコンピュータ等の端末装置に備えられ、操作によりウェブサイト構築のための情報処理を行うシステムであって、
検索履歴データベースに対し、検索キーワードごとの検索履歴の照会を行う検索履歴照会手段と、
検索キーワードごとの検索履歴を受信して記憶する検索履歴記憶手段と、
検索キーワードごとの検索履歴を集計する検索履歴集計手段と、
集計された検索履歴から、複数の検索キーワードを抽出する検索キーワード抽出手段と、
抽出された複数の検索キーワードに基づき、制作または編集するウェブサイトのウェブページごとに、前記検索キーワードを分類する検索キーワード分類手段と、
分類された検索キーワードに基づき、ウェブページごとに分類された検索キーワードを配置する検索キーワード配置手段とを備え、
検索履歴の集計によりウェブページごとに最適な検索キーワードを設定し、前記ウェブページに対する検索のための最適化をすることを特徴とする、ウェブサイトの検索最適化システム。
【請求項２】
前記検索履歴照会手段が行う検索キーワードを抽出するためにあらかじめ設定した、構築するウェブサイトの業種名、会社名、ウェブサイト名、商品名、サービス名、地域、商品・サービスその他の用途・使用目的・使用方法・販売場所・提供場所・価格・品質、これらの普通名称、これらの略称、これらの同義語、これらの類義語、これらの特徴を示す名詞または形容詞、の内の少なくともいずれか複数を記憶する検索キーワード記憶手段がさらに備えられたことを特徴とする、請求項１に記載のウェブサイトの検索最適化システム。
【請求項３】
前記検索履歴照会手段は、複数の検索エンジンが提供する検索履歴データベースに対し、検索キーワードごとの検索履歴の照会を行うことが可能にされたことを特徴とする、請求項１または２のいずれかに記載のウェブサイトの検索最適化システム。
【請求項４】
前記検索履歴照会手段は、すべてのウェブサイトに関し行われた当該検索エンジンを用いた検索履歴について、検索履歴データベースに対し、検索キーワードごとの検索履歴の照会を行うことが可能にされたことを特徴とする、請求項１〜３のいずれかに記載のウェブサイトの検索最適化システム。
【請求項５】
前記検索履歴照会手段は、構築を行う当該ウェブサイトに関し行われた当該検索エンジンを用いた検索履歴について、検索履歴データベースに対し、検索キーワードごとの検索履歴の照会を行うことが可能にされたことを特徴とする、請求項１〜４のいずれかに記載のウェブサイトの検索最適化システム。
【請求項６】
ウェブサイトが備える各ウェブページに配置するためのコンテンツ、または当該コンテンツの内容を示すコンテンツ見出しデータをあらかじめ設定し記憶するコンテンツ内容記憶手段と、
前記サイトマップ上にウェブページごとに分類された検索キーワードに対応して、前記コンテンツ、または当該コンテンツの内容を示すコンテンツ見出しデータを配置するコンテンツ内容配置手段とが、さらに備えられたことを特徴とする、請求項１〜５のいずれかに記載のウェブサイトの検索最適化システム。
【請求項７】
前記サイトマップ上にウェブページごとに分類された検索キーワードに対応して、前記ウェブページごとのハイパーリンクによる導線を設定し配置するハイパーリンク配置手段が、さらに備えられたことを特徴とする、請求項１〜６のいずれかに記載のウェブサイトの検索最適化システム。
【請求項８】
前記ウェブページには、テキスト主体ページ、画像主体ページ、動画像主体ページ、アニメーション主体ページ、動的生成ページ、フレームページのいずれかのページデータ形式が含まれるものであり、
前記コンテンツ内容配置手段は、当該ページデータ形式に従い、当該ウェブページに含まれるコンテンツに検索キーワードを設定し配置するものであることを特徴とする、請求項６または７のいずれかに記載のウェブサイトの検索最適化システム。
【請求項９】
前記ウェブページがアニメーション主体ページであって、当該ウェブページ内にテキストデータを含めることが可能なデータ形式である場合には、前記コンテンツ内容配置手段は、当該アニメーション主体ページに含まれるテキストデータに検索キーワードを設定し配置するものであることを特徴とする、請求項８に記載のウェブサイトの検索最適化システム。
【請求項１０】
前記ウェブページがフレームページである場合には、前記コンテンツ内容配置手段は、当該フレームページに含まれるメタデータ、フレーム非対応ブラウザ用テキストデータの内の少なくともいずれかに検索キーワードを設定し配置するものであることを特徴とする、請求項８に記載のウェブサイトの検索最適化システム。
【請求項１１】
前記ウェブページがフレームページにより分割されたフレーム内に配置されるウェブページであって、当該ウェブページ内にテキストデータを含めることが可能なデータ形式である場合には、前記コンテンツ内容配置手段は、当該アニメーション主体ページに含まれるテキストデータに検索キーワードを設定し配置するとともに、前記フレームページに誘導するための導線を設定するものであることを特徴とする、請求項８に記載のウェブサイトの検索最適化システム。
【請求項１２】
入力手段、制御手段、表示手段、出力手段、記憶手段等を備えるコンピュータ等の端末装置を用いて、操作によりウェブサイト構築のための情報処理方法であって、
検索履歴データベースに対し、検索キーワードごとの検索履歴の照会を行う検索履歴照会ステップと、
検索キーワードごとの検索履歴を受信して記憶する検索履歴記憶ステップと、
検索キーワードごとの検索履歴を集計する検索履歴集計ステップと、
集計された検索履歴から、複数の検索キーワードを抽出する検索キーワード抽出ステップと、
抽出された複数の検索キーワードに基づき、制作または編集するウェブサイトのウェブページごとに、前記検索キーワードを分類する検索キーワード分類手段と、
分類された検索キーワードに基づき、サイトマップ上にウェブページごとに分類された検索キーワードを配置する検索キーワード配置ステップとを少なくとも減ることにより、
検索履歴の集計によりウェブページごとに最適な検索キーワードを設定し、前記ウェブページに対する検索のための最適化をすることを特徴とする、ウェブサイトの検索最適化方法。
【請求項１３】
前記検索履歴照会ステップを経る前に、検索キーワードを抽出するためにあらかじめ設定した、構築するウェブサイトの業種名、会社名、ウェブサイト名、商品名、サービス名、地域、商品・サービスその他の用途・使用目的・使用方法・販売場所・提供場所・価格・品質、これらの普通名称、これらの略称、これらの同義語、これらの類義語、これらの特徴を示す名詞または形容詞、の内の少なくともいずれか複数を記憶する検索キーワード記憶ステップをさらに経ることを特徴とする、請求項１２に記載のウェブサイトの検索最適化方法。
【請求項１４】
前記検索キーワード配置ステップを経た後に、あらかじめ設定され記憶された、ウェブサイトが備える各ウェブページに配置するためのコンテンツ、または当該コンテンツの内容を示すコンテンツ見出しデータを、前記サイトマップ上にウェブページごとに分類された検索キーワードに対応して、前記コンテンツ、または当該コンテンツの内容を示すコンテンツ見出しデータを配置するコンテンツ内容配置ステップをさらに経ることを特徴とする、請求項１２または１３のいずれかに記載のウェブサイトの検索最適化方法。
【発明の詳細な説明】
【技術分野】
【０００１】
本発明は、ウェブサイトの検索最適化システム、およびウェブサイトの検索最適化方法に関する。
【背景技術】
【０００２】
従来より、インターネット上での情報を検索する場合に、検索エンジンが知られており、ロボット型、ディレクトリ型、あるいはこれらを組み合わせたハイブリッド型の各種の検索エンジンが開発され、検索サイトが運営されている。
また、企業や各種団体、個人も、商取引や情報提供、情報配信その他を目的とする各種ウェブサイトを構築し運営する事が行われている。
今日では、ウェブサイトを利用した商取引や情報提供などはなくてはならない有力な手段の一つとなっている。
【０００３】
ところで、このようにウェブサイトが増大し、普及してくると、膨大な情報の中から目的に合致するウェブページを抽出することは困難になり、そのため各種検索エンジンもその精度を上げるために技術開発を日夜行い、有効な技術を取り入れているところである。
一方、ウェブサイトを構築・運営し情報を発信する側からいうと、検索エンジンを用いて適切な検索キーワードにより検索を行ったユーザーに対し、自分のウェブサイトの情報が検索され、ウェブサイトへの誘導がされることが極めて十台中台となっている。
【０００４】
たとえば特定の商品やサービスの購入や利用をしたいユーザーが、これらに関連する検索キーワードを用いて検索した結果、ウェブサイトの情報が検索結果として上位に表示され、検索結果からハイパーリンクをたどって当該ウェブサイトを閲覧しにきてくれなければ、ウェブサイトを活用した商取引その他の目的を達成することができないからである。
特に、検索結果を表示する検索サイトのページは、デフォルトでは検索結果が１０位ごとに一つのウェブページとして表示される例のように、検索結果の上位から順に表示され、検索結果の下位になればなるほど、次の検索結果ページを閲覧しなければならない。検索結果のページはせいぜい平均して２ページ、３ページ程度しか閲覧されず、検索結果において数十位以下のウェブサイトでは検索による当該ウェブサイトへのユーザーの訪問が激減することになる。
【０００５】
【特許文献１】特開２０００−２０７４１４号公報
【特許文献２】特開２００３−２３３６８４号公報
【０００６】
特開２０００−２０７４１４「インタ―ネット情報検索方法及びインタ―ネット情報検索プログラムを格納した記憶媒体」においては、目的とするＷｅｂページが検索結果の上位
に表示されていなくても、短時間で目的とするＷｅｂページを探し出すことが可能なインターネット情報検索方法が提案されている。
この発明は、クライアントから検索エンジンに対して目的とする情報を表すキーワードを送信し、検索エンジンにおいて、クライアントから送信されたキーワードを含む検索結果を該クライアントに返却し、クライアントは、検索結果の中から入力したキーワードの特徴を有するＷｅｂページをグループ化し、グループの上位に目的のＷｅｂページが含まれているかを判断し、含まれていない場合には、該グループに含まれているＷｅｂページすべてを検索結果の中から排除し、該目的のＷｅｂページが含まれている場合には、該グループをさらに詳細なグループに分類し、詳細なグループから目的のＷｅｂページを検索するというものである。
しかしながらこの発明は、ユーザーの便宜のためにユーザーのクライアント端末において必要なソフトの導入を要する。またウェブサイトの運営者が検索結果の上位に表示されるような対策をするものではない。
【０００７】
特開２００３−２３３６８４「コンピュータネットワーク検索エンジン により生成した検索結果リストにおける順位及び対価保護を行うシステム及び方法」においては、検索データベースにおける検索リスト件を管理する方法及び装置が提案されている。
この発明による方法及び装置は、広告主によって指定された検索語により、検索をした際に広告を表示させるとともに、検索結果とともに表示される広告に対する１クリック当りの最大コストや広告主の希望する目標ランクを管理するものであって、上位表示は検索結果そのものではなく、有償で順位（ランク）の操作が可能な広告に関するものである。
しかしながら、広告によるウェブサイトへの訪問の効果は期待できるところであるものの、そのための費用が発生し、しかも広告であることを承知してユーザーはクリックするか、あるいは気づかないでクリックすることもありうるものの、広告を避けてクリックしないユーザーも発生してしまう。
【発明の開示】
【発明が解決しようとする課題】
【０００８】
したがって、無償で、かつユーザーにクリックすることへの躊躇をさせないでウェブサイトに誘導させるためには、あくまでも検索結果のページにおいて上位に表示させることがもっとも効果的である。有償の広告はこれとは性質が異なり、別途考慮すればよいことだからである。
そのため、検索エンジンによる検索結果ページで上位に表示させるため、検索エンジンごとの特性を考慮して、検索エンジンに重視されやすいウェブページづくり、検索キーワードその他の要素のウェブページ内への配置、記述、他のウェブサイトからの適切なハイパーリンクの設定などを行うことにより、検索結果ページで上位に表示させるような試みが行われており、ＳＥＯ(Search Engine Optimization)、ＳＥＭ(Search Engine Marketing)などといった手法が行われている。
【０００９】
しかしながら、従来のＳＥＯ(Search
Engine Optimization)、ＳＥＭ(Search
Engine Marketing)などといった手法によれば、特定の検索キーワードで上位に表示されるようなウェブページを制作することはそれなりに可能ではあるものの、そのことが主目的になってしまっている。
たとえば、当該ウェブページに設定した特定の検索キーワードそのものが本当に最適な検索キーワードの選定なのか、実際にはユーザーは他の検索キーワードでも検索をしていたり、あるいはより有効な検索キーワードまたは検索キーワードの組み合わせがあるのではないか、という問題があってもわからない。
さらにウェブサイトを構成する複数のウェブページごとに設定した特定の検索キーワードが本当に最適な検索キーワードの選定なのか、ウェブサイトのページ構成自体に問題があったり、ウェブページごとに最適化されて設定された検索キーワードに対応するウェブサイトのページ構成となっていないのではないかという問題があってもわからない。
【００１０】
そこで本発明においては、上記の様々な課題を解決し、検索エンジンによる検索結果ページで上位に表示させるため、当該ウェブページに設定した特定の検索キーワードそのものが本当に最適な検索キーワードの選定なのか、実際にはユーザーは他の検索キーワードでも検索をしていたり、あるいはより有効な検索キーワードまたは検索キーワードの組み合わせがあるのではないかというリサーチに結果に基づき、ウェブページごとに最適化されて設定された検索キーワードに対応するウェブサイトのページ構成を構築したうえで、ウェブサイトを構成する複数のウェブページごとに最適な検索キーワードの選定し、検索エンジンに重視されやすいウェブページづくり、検索キーワードその他の要素のウェブページ内への配置、記述、他のウェブサイトからの適切なハイパーリンクの設定などを行うことにより、検索結果ページで上位に表示させることが可能なウェブサイトの検索最適化システムウェブサイトの検索最適化システムを提供することを目的とする。
さらに本発明においては、従来、検索エンジンによるウェブページの情報取得、データベース化と適切なインデックス付与がされにくく、ＳＥＯ(Search Engine Optimization)、ＳＥＭ(Search Engine Marketing)などといった手法によっては検索結果ページで上位に表示させることが困難であった、フレームページ、Ｆｌａｓｈなどを用いた動的コンテンツのページなどにおいても、検索結果ページで上位に表示させることが可能なウェブサイトの検索最適化システムウェブサイトの検索最適化システムを提供することを目的とする。
【課題を解決するための手段】
【００１１】
上記課題を解決するため、請求項１に記載の発明においては、
入力手段、制御手段、表示手段、出力手段、記憶手段等を備えるコンピュータ等の端末装置に備えられ、操作によりウェブサイト構築のための情報処理を行うシステムであって、
検索履歴データベースに対し、検索キーワードごとの検索履歴の照会を行う検索履歴照会手段と、
検索キーワードごとの検索履歴を受信して記憶する検索履歴記憶手段と、
検索キーワードごとの検索履歴を集計する検索履歴集計手段と、
集計された検索履歴から、複数の検索キーワードを抽出する検索キーワード抽出手段と、
抽出された複数の検索キーワードに基づき、制作または編集するウェブサイトのウェブページごとに、前記検索キーワードを分類する検索キーワード分類手段と、
分類された検索キーワードに基づき、ウェブページごとに分類された検索キーワードを配置する検索キーワード配置手段とを備え、
検索履歴の集計によりウェブページごとに最適な検索キーワードを設定し、前記ウェブページに対する検索のための最適化をする、ウェブサイトの検索最適化システムであることを特徴としている。
【００１２】
また、上記課題を解決するため、請求項２に記載の発明においては、
前記検索履歴照会手段が行う検索キーワードを抽出するためにあらかじめ設定した、構築するウェブサイトの業種名、会社名、ウェブサイト名、商品名、サービス名、地域、商品・サービスその他の用途・使用目的・使用方法・販売場所・提供場所・価格・品質、これらの普通名称、これらの略称、これらの同義語、これらの類義語、これらの特徴を示す名詞または形容詞、の内の少なくともいずれか複数を記憶する検索キーワード記憶手段がさらに備えられた、請求項１に記載のウェブサイトの検索最適化システムであることを特徴としている。
【００１３】
また、上記課題を解決するため、請求項３に記載の発明においては、
前記検索履歴照会手段は、複数の検索エンジンが提供する検索履歴データベースに対し、検索キーワードごとの検索履歴の照会を行うことが可能にされた、請求項１または２のいずれかに記載のウェブサイトの検索最適化システムであることを特徴としている。
【００１４】
また、上記課題を解決するため、請求項４に記載の発明においては、
前記検索履歴照会手段は、すべてのウェブサイトに関し行われた当該検索エンジンを用いた検索履歴について、検索履歴データベースに対し、検索キーワードごとの検索履歴の照会を行うことが可能にされた、請求項１〜３のいずれかに記載のウェブサイトの検索最適化システムであることを特徴としている。
【００１５】
また、上記課題を解決するため、請求項５に記載の発明においては、
前記検索履歴照会手段は、構築を行う当該ウェブサイトに関し行われた当該検索エンジンを用いた検索履歴について、検索履歴データベースに対し、検索キーワードごとの検索履歴の照会を行うことが可能にされた、請求項１〜４のいずれかに記載のウェブサイトの検索最適化システムであることを特徴としている。
【００１６】
また、上記課題を解決するため、請求項６に記載の発明においては、
ウェブサイトが備える各ウェブページに配置するためのコンテンツ、または当該コンテンツの内容を示すコンテンツ見出しデータをあらかじめ設定し記憶するコンテンツ内容記憶手段と、
前記サイトマップ上にウェブページごとに分類された検索キーワードに対応して、前記コンテンツ、または当該コンテンツの内容を示すコンテンツ見出しデータを配置するコンテンツ内容配置手段とが、さらに備えられた、請求項１〜５のいずれかに記載のウェブサイトの検索最適化システムであることを特徴としている。
【００１７】
また、上記課題を解決するため、請求項７に記載の発明においては、
前記サイトマップ上にウェブページごとに分類された検索キーワードに対応して、前記ウェブページごとのハイパーリンクによる導線を設定し配置するハイパーリンク配置手段が、さらに備えられた、請求項１〜６のいずれかに記載のウェブサイトの検索最適化システムであることを特徴としている。
【００１８】
また、上記課題を解決するため、請求項８に記載の発明においては、
前記ウェブページには、テキスト主体ページ、画像主体ページ、動画像主体ページ、アニメーション主体ページ、動的生成ページ、フレームページのいずれかのページデータ形式が含まれるものであり、
前記コンテンツ内容配置手段は、当該ページデータ形式に従い、当該ウェブページに含まれるコンテンツに検索キーワードを設定し配置するものである、請求項６または７のいずれかに記載のウェブサイトの検索最適化システムであることを特徴としている。
【００１９】
また、上記課題を解決するため、請求項９に記載の発明においては、
前記ウェブページがアニメーション主体ページであって、当該ウェブページ内にテキストデータを含めることが可能なデータ形式である場合には、前記コンテンツ内容配置手段は、当該アニメーション主体ページに含まれるテキストデータに検索キーワードを設定し配置するものである、請求項８に記載のウェブサイトの検索最適化システムであることを特徴としている。
【００２０】
また、上記課題を解決するため、請求項１０に記載の発明においては、
前記ウェブページがフレームページである場合には、前記コンテンツ内容配置手段は、当該フレームページに含まれるメタデータ、フレーム非対応ブラウザ用テキストデータの内の少なくともいずれかに検索キーワードを設定し配置するものである、請求項８に記載のウェブサイトの検索最適化システムであることを特徴としている。
【００２１】
また、上記課題を解決するため、請求項１１に記載の発明においては、
前記ウェブページがフレームページにより分割されたフレーム内に配置されるウェブページであって、当該ウェブページ内にテキストデータを含めることが可能なデータ形式である場合には、前記コンテンツ内容配置手段は、当該アニメーション主体ページに含まれるテキストデータに検索キーワードを設定し配置するとともに、前記フレームページに誘導するための導線を設定するものである、請求項８に記載のウェブサイトの検索最適化システムであることを特徴としている。
【００２２】
また、上記課題を解決するため、請求項１２に記載の発明においては、
入力手段、制御手段、表示手段、出力手段、記憶手段等を備えるコンピュータ等の端末装置を用いて、操作によりウェブサイト構築のための情報処理方法であって、
検索履歴データベースに対し、検索キーワードごとの検索履歴の照会を行う検索履歴照会ステップと、
検索キーワードごとの検索履歴を受信して記憶する検索履歴記憶ステップと、
検索キーワードごとの検索履歴を集計する検索履歴集計ステップと、
集計された検索履歴から、複数の検索キーワードを抽出する検索キーワード抽出ステップと、
抽出された複数の検索キーワードに基づき、制作または編集するウェブサイトのウェブページごとに、前記検索キーワードを分類する検索キーワード分類ステップと、
分類された検索キーワードに基づき、サイトマップ上にウェブページごとに分類された検索キーワードを配置する検索キーワード配置ステップとを少なくとも減ることにより、
検索履歴の集計によりウェブページごとに最適な検索キーワードを設定し、前記ウェブページに対する検索のための最適化をする、ウェブサイトの検索最適化方法であることを特徴としている。
【００２３】
また、上記課題を解決するため、請求項１３に記載の発明においては、
前記検索履歴照会ステップを経る前に、検索キーワードを抽出するためにあらかじめ設定した、構築するウェブサイトの業種名、会社名、ウェブサイト名、商品名、サービス名、地域、商品・サービスその他の用途・使用目的・使用方法・販売場所・提供場所・価格・品質、これらの普通名称、これらの略称、これらの同義語、これらの類義語、これらの特徴を示す名詞または形容詞、の内の少なくともいずれか複数を記憶する検索キーワード記憶ステップをさらに経る、請求項１２に記載のウェブサイトの検索最適化方法であることを特徴としている。
【００２４】
また、上記課題を解決するため、請求項１４に記載の発明においては、
前記検索キーワード配置ステップを経た後に、あらかじめ設定され記憶された、ウェブサイトが備える各ウェブページに配置するためのコンテンツ、または当該コンテンツの内容を示すコンテンツ見出しデータを、前記サイトマップ上にウェブページごとに分類された検索キーワードに対応して、前記コンテンツ、または当該コンテンツの内容を示すコンテンツ見出しデータを配置するコンテンツ内容配置ステップをさらに経る、請求項１２または１３のいずれかに記載のウェブサイトの検索最適化方法であることを特徴としている。
【発明の効果】
【００２５】
本発明によれば、検索エンジンによる検索結果ページで上位に表示させるため、当該ウェブページに設定した特定の検索キーワードそのものが本当に最適な検索キーワードの選定なのか、実際にはユーザーは他の検索キーワードでも検索をしていたり、あるいはより有効な検索キーワードまたは検索キーワードの組み合わせがあるのではないかというリサーチに結果に基づき、ウェブページごとに最適化されて設定された検索キーワードに対応するウェブサイトのページ構成を構築したうえで、ウェブサイトを構成する複数のウェブページごとに最適な検索キーワードの選定し、検索エンジンに重視されやすいウェブページづくり、検索キーワードその他の要素のウェブページ内への配置、記述、他のウェブサイトからの適切なハイパーリンクの設定などを行うことにより、検索結果ページで上位に表示させることが可能なウェブサイトの検索最適化システムウェブサイトの検索最適化システムを提供することができる。
さらに本発明によれば、従来、検索エンジンによるウェブページの情報取得、データベース化と適切なインデックス付与がされにくく、ＳＥＯ(Search Engine Optimization)、ＳＥＭ(Search Engine Marketing)などといった手法によっては検索結果ページで上位に表示させることが困難であった、フレームページ、Ｆｌａｓｈなどを用いた動的コンテンツのページなどにおいても、検索結果ページで上位に表示させることが可能なウェブサイトの検索最適化システムウェブサイトの検索最適化システムを提供することができる。
【発明を実施するための最良の形態】
【００２６】
以下、本発明の実施の形態について図面を参照して説明する。
図１は、本発明のシステムの基本的な構成の一例を示すシステム構成図である。
本発明のシステムは、入力手段、制御手段、表示手段、出力手段、記憶手段等を備えるコンピュータ等の端末装置に備えられ、操作によりウェブサイト構築のための情報処理を行うシステムである。
本発明のシステムを構成する端末装置としては、通常、パーソナルコンピュータやワークステーションなどのコンピュータ端末が用いられる。コンピュータ端末は、制御手段、記憶手段、入力手段、出力手段、表示手段などを備える。またインターネットに代表されるコンピュータネットワークに接続し、データの送受信を行う機能を備え、ブラウザや電子メールソフトウェア、ワードプロセッサなどのアプリケーションプログラムや、オペレーティングシステム（ＯＳ）を備えることが通常の形態である。
【００２７】
端末装置は、インターネットに接続し、検索エンジンを用いたキーワード検索を行う機能、検索結果を取得し集計する機能、検索履歴を記憶する機能、ウェブサイトを構成するウェブページを作成・編集する機能、ウェブサイトを構成するウェブサイト構成を作成、編集する機能、ウェブページの作成・編集にあたり検索キーワードを設定し編集・記憶する機能などを備える。
これらの各構成については後述する。
【００２８】
はじめに、本発明のシステムは、検索履歴データベースに対し、検索キーワードごとの検索履歴の照会を行う検索履歴照会手段を備えている。検索履歴照会手段は、複数の検索エンジンが提供する検索履歴データベースに対し、検索キーワードごとの検索履歴の照会を行うことが可能にされている。
インターネット上において提供されている各種検索エンジンの中には、当該検索エンジンを用いて不特定多数のユーザーが行った検索履歴を、検索キーワードごとに集計し閲覧可能にしているものが知られている。たとえばｇｏｏｇｌｅ社、ＯＶＥＲＴＵＲＥ社などがキーワードごとの検索回数、キーワードの組み合わせごとの検索回数などを、当該検索エンジン利用者全体について集計し、閲覧可能にしている。前記検索履歴照会手段は、すべてのウェブサイトに関し行われた当該検索エンジンを用いた検索履歴について、検索履歴データベースに対し、検索キーワードごとの検索履歴の照会を行うことが可能にされている。
また、これらの検索履歴の集計は、所定期間ごとに行うようにすれば、期間の経過に伴う集計結果を取得することができる。したがって、どのようなキーワードを用いて不特定多数のユーザーが検索を行うか、さらにはその推移などを検索履歴の照会により取得することができる。
【００２９】
前記検索履歴照会手段は、構築を行う当該ウェブサイトに関し行われた当該検索エンジンを用いた検索履歴について、検索履歴データベースに対し、検索キーワードごとの検索履歴の照会を行うことが可能にされている。
また、特定のウェブサイトごとの検索キーワードごとの検索回数は、知られている各種のアクセス解析プログラムにより取得することができる。
図２は、構築を行う当該ウェブサイトに関し行われた検索エンジンを用いた、検索キーワードごとの検索履歴の照会結果の一例を示すデータである。
また図３は、すべてのウェブサイトに関し行われた当該検索エンジンを用いた、検索キーワードごとの検索履歴の照会結果の一例を示すデータである。
【００３０】
次に本発明のシステムは、検索キーワードごとの検索履歴を受信して記憶する検索履歴記憶手段を備えている。
検索履歴記憶手段は、検索履歴照会手段が取得した検索キーワードごとの検索履歴データを、データベースとして記憶する。また、すべてのウェブサイトに対し行われた検索か、あるいは特定のウェブサイトの対し行われた検索かの別や、検索履歴の対象となる期間などを検索履歴データに関連付けて記憶する。
データベースは、関係データベース、表形式データベース、ＣＳＶデータ形式、その他の各種のデータ形式であってよい。
【００３１】
次に本発明のシステムは、検索キーワードごとの検索履歴を集計する検索履歴集計手段を備えている。
検索履歴集計手段は、検索履歴記憶手段に記憶された検索履歴データベースの検索履歴データを、各種の方法により集計することができる。
たとえば、図３に示される検索履歴の例でいえば、「ホームページ  作成」、「ホームページ  作成  無料」、「ホームページ  作成  支援」、「ホームページ  作成  講座」、「ホームページ  作成  素材」、「ホームページ  作成  初心者」、「ホームページ  作成  フリー  ソフト」などのそれぞれの検索キーワードの組み合わせごとの検索数のほか、「ホームページ  作成」を含むすべての検索キーワードの組み合わせごとの検索数の集計をすることができる。
【００３２】
また、前記検索履歴照会手段が行う検索キーワードを抽出するために、構築するウェブサイトのコンテンツの内容に対応して、あらかじめ設定した検索キーワードを記憶する検索キーワード記憶手段がさらに備えておき、これらの検索キーワードごとの検索履歴を集計することができる。
たとえば、あらかじめ設定した検索キーワードを記憶する検索キーワード記憶手段には、構築するウェブサイトの業種名、会社名、ウェブサイト名、商品名、サービス名、地域、商品・サービスその他の用途・使用目的・使用方法・販売場所・提供場所・価格・品質、これらの普通名称、これらの略称、これらの同義語、これらの類義語、これらの特徴を示す名詞または形容詞、の内の少なくともいずれか複数が記憶されている。
構築するウェブサイトの業種名、会社名、ウェブサイト名などでは、どのような検索キーワードが検索履歴に用いられているかを集計することができる。また商品名、サービス名でも同様に、どのような検索キーワードが検索履歴に用いられているかを集計することができる。商品・サービスその他の用途・使用目的・使用方法・販売場所・提供場所・価格・品質、これらの普通名称、これらの略称、これらの同義語、これらの類義語、これらの特徴を示す名詞または形容詞などにおいても同様に、どのような検索キーワードが検索履歴に用いられているかを集計することができる。
【００３３】
次に本発明のシステムは、集計された検索履歴から、複数の検索キーワードを抽出する検索キーワード抽出手段を備えている。
検索キーワード抽出手段は、構築するウェブサイトにおいて、トップページ以下、各コンテンツのページにおいて、どのような検索キーワードに対応させてウェブページを構成し、当該検索キーワードで検索されやすくするか、検索エンジンで上位表示されやすくなるかをウェブページごとに設定するために、集計された検索履歴から、採用する検索キーワードを抽出する。
【００３４】
検索キーワードの抽出は、単純に検索履歴の中から、検索に用いられた検索キーワードの検索数の多いものから順に採用することもできる。また、図３に示される検索履歴の例でいえば、「ホームページ  作成」のような大分類となるべき検索キーワードを一つまたは複数抽出し、次いで当該キーワードと組み合わせて検索に利用される「無料」、「支援」、「講座」、「素材」、「初心者」、「ソフト」などのそれぞれの組み合わせごとの検索キーワードを採用する候補として抽出することもできる。
【００３５】
さらに、構築するウェブサイトのコンテンツの内容に対応して、あらかじめ設定した検索キーワードを記憶する検索キーワード記憶手段がさらに備えておき、構築するウェブサイトの業種名、会社名、ウェブサイト名、商品名、サービス名、地域、商品・サービスその他の用途・使用目的・使用方法・販売場所・提供場所・価格・品質、これらの普通名称など、これらのウェブサイト内のコンテンツの分類ごとに検索キーワードを抽出することもできる。
【００３６】
次に本発明のシステムは、抽出された複数の検索キーワードに基づき、制作または編集するウェブサイトのウェブページごとに、前記検索キーワードを分類する検索キーワード分類手段を備えている。
また、本発明のシステムは、分類された検索キーワードに基づき、ウェブページごとに分類された検索キーワードを配置する検索キーワード配置手段を備えている。
構築するウェブサイトの設計に際して、ウェブサイトの全体構成を、ウェブサイトに掲載するべき内容の分類に応じて設計し、好ましくはサイトマップを作成する。サイトマップ作成は、デジタルデータで作成することができ、サイトマップのウェブページとして利用可能なウェブコンテンツデータに利用可能なデータ形式で作成することもできる。
【００３７】
たとえば、ウェブサイトの構成は、大分類として、会社案内、トピックス、商品案内、サービス案内などであり、仮に商品案内には中分類として商品（１）案内、商品（２）案内、サービス分類にはサービス（３）案内、サービス（４）案内、サービス（５）案内が必要であるとする。
そして小分類として、会社案内には、会社概要、地図、会社沿革、業務内容、組織図、経営理念があるとする。トピックスには、新着情報、ニュースリリース、ＩＲ情報があるとする。商品（１）案内ほかの各商品案内には、商品概要、商品仕様、使用方法、価格、販売店情報があるとする。
【００３８】
前記抽出された複数の検索キーワードに基づき、制作または編集するウェブサイトのウェブページごとに、特に好ましくは大分類ごとに前記検索キーワードを分類し、さらに好ましくは中分類、小分類として個々のウェブページごとに検索キーワードを分類する。そして、検索キーワード配置手段により、ウェブサイトの全体構成を記憶したデータ、あるいはサイトマップデータ上に、分類された検索キーワードに基づき、ウェブページごとに分類された検索キーワードを配置する。
これにより、ウェブサイトの全体を構成し、ページごとに分類された検索キーワードをテーマとして制作を行うようにすることにより、検索履歴の集計によりウェブページごとに最適な検索キーワードを設定し、前記ウェブページに対する検索のための最適化をすることができる。
【００３９】
次に、本発明のシステムの好ましい実施形態の一例について説明する。
構築するウェブサイトに盛り込むべき内容をウェブページ作成ソフトウェアなどを用いて作成し、ウェブサイトが備える各ウェブページに配置するためのコンテンツ、または当該コンテンツの内容を示すコンテンツ見出しデータをあらかじめ設定しコンテンツ内容記憶手段に記憶する。
次に、あらかじめ作成しているコンテンツを、ウェブページごとに最適な検索キーワードを設定し、前記ウェブページに対する検索のための最適化をするために、あらかじめ作成された前記コンテンツ、または当該コンテンツの内容を示すコンテンツ見出しデータを配置する際に、前記サイトマップ上にウェブページごとに分類された検索キーワードを参照し、これに対応して、コンテンツ内容配置手段を用いて編集したり、手直しをしたりする。さらに好ましくは、当該ウェブページごとの検索キーワードの出現回数や、出現位置、あるいは抽出され分類された検索キーワードをウェブページ内に挿入し忘れていないかどうか、漏れがないか等のチェックがされることが望ましい。自動的なチェックができない場合でも、手動操作でチェックできるように、チェックリスト等を用いてウェブページ編集ができれば望ましい。
【００４０】
また、前記サイトマップ上にウェブページごとに分類された検索キーワードに対応して、前記ウェブページごとのハイパーリンクによる導線を設定し配置するハイパーリンク配置手段が、さらに備えられているようにしてもよい。当該ウェブページに設定された検索キーワードに対応した他のページまたは他のウェブサイトへのハイパーリンクを適切に挿入し、さらに当該ウェブページに対する被リンクについても適切な検索キーワードに対応したウェブページからのハイパーリンクがされているかをチェックできるようにすることが好ましい。さらに好ましくは、当該ウェブページごとのリンク、被リンクの出現回数や、出現位置、ハイパーリンクが張られているテキスト（アンカーテキスト）や画像の説明（altタグ）、あるいは抽出され分類された検索キーワードに対応するハイパーリンクをウェブページ内に挿入し忘れていないかどうか、漏れがないか等のチェックがされることが望ましい。自動的なチェックができない場合でも、手動操作でチェックできるように、チェックリスト等を用いてウェブページ編集ができれば望ましい。
【００４１】
また、本発明のシステムにおいては、ページごとに分類された検索キーワードをテーマとして制作を行うようにすることにより、検索履歴の集計によりウェブページごとに最適な検索キーワードを設定し、前記ウェブページに対する検索のための最適化をすることができるが、作成され編集される前記ウェブページには、テキスト主体ページ、画像主体ページ、動画像主体ページ、アニメーション主体ページ、動的生成ページ、フレームページのいずれかのページデータ形式が含まれるものであり、前記コンテンツ内容配置手段は、当該ページデータ形式に従い、当該ウェブページに含まれるコンテンツに検索キーワードを設定し配置するものである。
【００４２】
好ましい一例としては、前記ウェブページがＦｌａｓｈなどのアニメーション主体ページであって、当該ページ内にテキストデータを含めることが可能なデータ形式である場合には、前記コンテンツ内容配置手段は、当該アニメーション主体ページに含まれるテキストデータに検索キーワードを設定し配置するものである。
従来、難しいとされてきたＦｌａｓｈなどのアニメーション主体ページは、訴求効果が高く、多くのユーザーが支持しているものの、検索エンジン対策としては検索キーワードを設定し難いといったデメリットも多く、上位表示させることを目的としたウェブサイト構築は難しい。このようなページにおいて、Ｆｌａｓｈエリア（アニメーションエリア）の設定、検索エンジンロボットが好むＨＴＭＬ等の検索キーワード設定・配置による最適化、ユーザーから見て使いやすく、判り易いユーザビリティを、これまでに説明した検索キーワードの分類、配置することにより最適化されたウェブページを構築する。
【００４３】
また、別の好ましい一例としては、前記ウェブページがフレームページである場合には、前記コンテンツ内容配置手段は、当該フレームページに含まれるメタデータ、フレーム非対応ブラウザ用テキストデータの内の少なくともいずれかに検索キーワードを設定し配置するものである。通常、フレームページにはフレームの分割と、分割された各フレーム内に表示されるウェブページの指定とが定義され、フレームページ自体は内容のあるコンテンツではない。しかしながら、フレームページを構成するＨＴＭＬなどのソース中に、ページタイトル、キーワード、説明などのメタデータや、フレーム非対応ブラウザ向け説明やハイパーリンクなどを設定し、これらのデータ中に、これまでに説明した検索キーワードの分類、配置することにより最適化されたウェブページを構築する。
【００４４】
また、別の好ましい一例としては、前記ウェブページがフレームページにより分割されたフレーム内に配置されるウェブページであって、当該ウェブページ内にテキストデータを含めることが可能なデータ形式である場合には、前記コンテンツ内容配置手段は、当該アニメーション主体ページに含まれるテキストデータに検索キーワードを設定し配置するとともに、前記フレームページに誘導するための導線を設定するものである。
すなわち、フレームページにはフレームの分割と、分割された各フレーム内に表示されるウェブページの指定とが定義されており、ユーザーが分割された一部のフレーム内に配置されるウェブページに直接アクセスした場合には、自動的にフレームページに転送され誘導されるようにしておくものである。
【００４５】
以下、本発明の基本的な処理の流れについて説明する。
図４は、本発明の基本的な処理の流れの一例を示すフローチャートである。
図４に示される処理は、入力手段、制御手段、表示手段、出力手段、記憶手段等を備えるコンピュータ等の端末装置を用いて、操作によりウェブサイト構築のための情報処理方法である。なお、ここに示す処理の流れは一例であって、これに限定されるものではなく、様々な応用や変形が可能である。
【００４６】
好ましくは、あらかじめ、検索キーワードを抽出するためにあらかじめ設定した、構築するウェブサイトの業種名、会社名、ウェブサイト名、商品名、サービス名、地域、商品・サービスその他の用途・使用目的・使用方法・販売場所・提供場所・価格・品質、これらの普通名称、これらの略称、これらの同義語、これらの類義語、これらの特徴を示す名詞または形容詞、の内の少なくともいずれか複数を記憶する（検索キーワード記憶ステップ）。
あらかじめ抽出した検索キーワードに基づき、初めに、検索履歴データベースに対し、検索キーワードごとの検索履歴の照会を行う（検索履歴照会ステップ）。
次いで、様々な検索キーワードごとの検索履歴を受信して、ハードディスクなどの記憶手段に記憶する（検索履歴記憶ステップ）。
次に、検索キーワードごとの検索履歴を集計する（検索履歴集計ステップ）。
次に、集計された検索履歴から、複数の検索キーワードを抽出する（検索キーワード抽出ステップ）。
次に、抽出された複数の検索キーワードに基づき、制作または編集するウェブサイトのウェブページごとに、前記検索キーワードを分類する（検索キーワード分類ステップ）。
【００４７】
分類された検索キーワードに基づき、サイトマップ上にウェブページごとに分類された検索キーワードを配置する（検索キーワード配置ステップ）。
検索キーワード配置ステップを経た後に、あらかじめ設定され記憶された、ウェブサイトが備える各ウェブページに配置するためのコンテンツ、または当該コンテンツの内容を示すコンテンツ見出しデータを、前記サイトマップ上にウェブページごとに分類された検索キーワードに対応して、前記コンテンツ、または当該コンテンツの内容を示すコンテンツ見出しデータを配置する（コンテンツ内容配置ステップ）。
以上の流れにより、検索履歴の集計によりウェブページごとに最適な検索キーワードを設定し、前記ウェブページに対する検索のための最適化をする。
【産業上の利用可能性】
【００４８】
以上詳細に説明したように、本発明によれば、検索エンジンによる検索結果ページで上位に表示させることが可能なウェブサイトの検索最適化システムを提供し、ウェブサイト運営者にとって当該ウェブサイトへの訪問を増大させ、結果として商取引その他の機会を増大させることができる。
【図面の簡単な説明】
【００４９】
【図１】本発明のシステムの基本的な構成の一例を示すシステム構成図である。
【図２】構築を行う当該ウェブサイトに関し行われた検索エンジンを用いた、検索キーワードごとの検索履歴の照会結果の一例を示すデータである。
【図３】すべてのウェブサイトに関し行われた当該検索エンジンを用いた、検索キーワードごとの検索履歴の照会結果の一例を示すデータである。
【図４】本発明の基本的な処理の流れの一例を示すフローチャートである。
【図１】
2006146446.tif 000003
【図２】
2006146446.tif 000004
【図３】
2006146446.tif 000005
【図４】
2006146446.tif 000006